(57)【要約】【課題】  迅速かつ能率的な採寸作業を可能にするとともに、正確にプレカットしたフィット性の高いサイディングを得る。【解決手段】  サイディング施工前における、建設中の住宅構造Ｍの垂直精度に係わるデータ及び／又は水平精度に係わるデータを採寸データＤｄの一部として取得するとともに、壁面部分Ｆｓの所定位置Ｘｈｏに表示した初期水平ラインＬｈｏを基準にして取付けた土台水切部３を含むサイディング施工直前の壁面部分Ｆｓの位置であって、土台水切部３を基準にしたサイディングＳｐの縦幅の倍数となる一又は二以上の所定位置Ｘｈ１…に、基準水平ラインＬｈ１…を表示し、かつこの基準水平ラインＬｈ１…を基準にした一又は二以上の所定位置Ｘｖ１…に基準垂直ラインＬｖ１…を表示した後、基準水平ラインＬｈ１…及び基準垂直ラインＬｖ１…を基準にして建築中の住宅構造Ｍに対する採寸を行うことにより採寸データＤｄを取得する。【選択図】  図１
2014152521.tif 000002
【特許請求の範囲】
【請求項１】
サイディングをプレカットする際に用いる建築中の住宅構造における採寸データを取得するためのサイディングプレカット用採寸データ取得方法において、サイディング施工前における、建設中の住宅構造の垂直精度に係わるデータ及び／又は水平精度に係わるデータを採寸データの一部として取得するとともに、壁面部分の所定位置に表示した初期水平ラインを基準にして取付けた土台水切部を含むサイディング施工直前の壁面部分の位置であって、前記土台水切部を基準にした前記サイディングの縦幅の倍数となる一又は二以上の所定位置に、基準水平ラインを表示し、かつこの基準水平ラインを基準にした一又は二以上の所定位置に基準垂直ラインを表示した後、前記基準水平ライン及び前記基準垂直ラインを基準にして建築中の前記住宅構造に対する採寸を行うことにより採寸データを取得することを特徴とするサイディングプレカット用採寸データ取得方法。
【請求項２】
前記垂直精度に係わるデータは、建設中の住宅構造における隅柱の垂直精度を用いることを特徴とする請求項１記載のサイディングプレカット用採寸データ取得方法。
【請求項３】
前記初期水平ラインは、土台部の近傍に表示することを特徴とする請求項１又は２記載のサイディングプレカット用採寸データ取得方法。
【請求項４】
前記サイディング施工直前の壁面部分には、土台水切部を基準にして取付けたシート部及び胴縁部を備えることを特徴とする請求項１，２又は３記載のサイディングプレカット用採寸データ取得方法。
【請求項５】
前記基準水平ラインは、一段目に施工するサイディングに対応する位置，胴差部の近傍に施工するサイディングに対応する位置，二階部分に有する開口部の上方であって、この開口部の近傍に施工するサイディングに対応する位置，の一又は二以上に表示することを特徴とする請求項１〜４のいずれかに記載のサイディングプレカット用採寸データ取得方法。
【請求項６】
前記基準垂直ラインは、一側の隅柱に対応する位置，他側の隅柱に対応する位置，左右方向中央付近における管柱に対応する位置，の一又は二以上に表示することを特徴とする請求項１〜５のいずれかに記載のサイディングプレカット用採寸データ取得方法。
【請求項７】
サイディングをプレカットする際に用いる建築中の住宅構造における採寸データと設計図面データとに基づいて前記サイディングをプレカットするサイディングプレカット方法において、サイディング施工前における、建設中の住宅構造の垂直精度に係わるデータ及び／又は水平精度に係わるデータを採寸データの一部として取得するとともに、壁面部分の所定位置に表示した初期水平ラインを基準にして取付けた土台水切部を含むサイディング施工直前の壁面部分の位置であって、前記土台水切部を基準にした前記サイディングの縦幅の倍数となる一又は二以上の所定位置に、基準水平ラインを表示し、かつこの基準水平ラインを基準にした一又は二以上の所定位置に基準垂直ラインを表示した後、前記基準水平ライン及び前記基準垂直ラインを基準にして建築中の前記住宅構造に対する採寸を行うことにより採寸データを取得し、この後、取得した採寸データと前記設計図面データによりプレカット用データを作成し、このプレカット用データに基づいて前記サイディングをプレカットすることを特徴とするサイディングプレカット方法。
【請求項８】
前記設計図面データには、予め設定したデータベースから読出したデータ又はイメージスキャナーにより読込んだデータを含むことを特徴とする請求項７記載のサイディングプレカット方法。
【請求項９】
前記設計図面データに基づく、少なくとも立面図を、コンピュータ機能部を用いたデータ処理部に接続したディスプレイに表示するとともに、前記データ処理部により、取得した前記採寸データに基づき前記設計図面データを修正処理することを特徴とする請求項７又は８記載のサイディングプレカット方法。
【発明の詳細な説明】
【技術分野】
【０００１】
本発明は、サイディングをプレカットする際に用いる建築中の住宅構造における採寸データを取得するためのサイディングプレカット用採寸データ取得方法及びこの採寸データを利用するサイディングプレカット方法に関する。
【背景技術】
【０００２】
一般に、住宅の外壁パネルとして用いるサイディングは、外壁に対して形状的にフィットさせる必要があることから、通常、現場においてカッティング加工を行い、確認しながら施工していた。しかし、現場のカッティング加工は、粉塵や騒音等の発生が近隣や作業者に影響する問題があるため、近時においては、予め、工場においてサイディングをプレカットし、これにより現場ではカッティング加工を行わないプレカット式工法に変わりつつある。
【０００３】
従来、このようなプレカット式工法に関連する技術としては、特許文献１で開示されるサイディングプレカット割付方法及び特許文献２で開示されるサイディング材割付基準位置測定方法が知られている。
【０００４】
前者のサイディングプレカット割付方法は、軸組工法により新たに建築される住宅などの建物の構造躯体に対してサイディング板の割り付けを行い、各サイディング板の寸法及び形状を決定してプレカットを可能にすることを目的としたものであり、具体的には、軸組工法により建築する建物のサイディングを施工する面の柱，梁，桁及び土台のそれぞれの設計位置および設計寸法と、各開口部の設計位置及び設計寸法とを含む設計値データを記憶する工程、サイディングの施工に使用するサイディング板の長さ，働き幅及び厚さと、サイディング板を固定するために前記柱，梁，桁及び土台に取り付ける胴縁の厚さとを含む基準寸法データを記憶する工程、サイディングの目地の位置を入力する工程、記憶された設計値データを取得し、記憶された基準寸法データを取得し、設計値データに含まれる柱，梁及び桁のそれぞれの設計位置及び設計寸法と、設計値データに含まれる土台の設計位置及び設計寸法から決定されるサイディングの下端位置と、入力された目地の位置と、基準寸法データに含まれるサイディング板の働き幅及び厚さと、基準寸法データに含まれる胴縁の厚さとから、サイディング板を自動割り付けする工程、記憶された設計値データと、入力された目地の位置を記した採寸用図面を出力する工程と、出力された採寸用図面の目地の位置を基準として現場において採寸された実寸法を入力する工程と、取得した設計値データを入力された実寸法に基づいて修正し、サイディング板の自動割り付けを再度実行することにより、サイディング板のプレカット寸法を決定する工程と、決定されたサイディング板のプレカット寸法を出力する工程とを含ませたものである。
【０００５】
一方、後者のサイディング材割付基準位置測定方法は、建築現場でサイディング材を切断する必要がなく、建築現場で騒音や粉じんを発生させることなく短い工期でサイディング材の取り付け施工が行えるサイディング材割付基準位置測定方法の提供を目的とするものであり、具体的には、建築物の棟上後で側面に外部シートを貼る前において外部建具の位置を測定する第１基準点位置測定と、外部シート貼付け後でサイディング材取付け前において、外部シート貼付け後に設けられた外部建具の位置を測定する第２基準点位置測定を行うようにしたものである。
【先行技術文献】
【特許文献】
【０００６】
【特許文献１】特開２００６−２８３３９０号公報
【特許文献２】特開２０１２−０４１７５４号公報
【発明の概要】
【発明が解決しようとする課題】
【０００７】
しかし、上述した従来におけるプレカット式工法に関連する技術は、次のような問題点があった。
【０００８】
第一に、建築中の現場で住宅構造に対する採寸作業を行う場合、基準点の設定が必ずしも適切であるとはいえないため、プレカット式工法による利点を十分に享受できない。即ち、特許文献１の場合、サイディング側の目地位置を基準にするため、住宅構造の本体における基準位置が曖昧となる。したがって、プレカットしたサイディングを現場で取付ける場合、住宅構造の本体との関係では誤差が発生しやすく、例えば、住宅構造が若干傾いていたような場合、その誤差の発生は避けられない。また、特許文献２の場合も同様であり、基準点を窓枠や玄関等の建具に設定するに留まるため、住宅構造の本体（隅柱等）に対する基準が曖昧となる。このように、いずれもフィット性の高い的確なサイディングを得る観点からは不十分となる。結局、現場における追加加工や補修が必要になるなど、プレカット式工法に係わる本来の利点を十分に生かしきれない。
【０００９】
第二に、プレカットする際の基準点の設定が曖昧になることから、様々な形状（形態）や構造を有する住宅構造に対して、それぞれ個別に対応する必要がある。即ち、各住宅構造毎に基準点が異なってしまうため、スムースな採寸作業を行うことができない。結局、採寸作業に無用な時間がかかり非能率的になるとともに、採寸作業のマニュアル化を図る場合、採寸手順が煩雑で解りにくくなりやすく、特に、作業者が初心者であったような場合、作業がチグハグになりやすく、流れに沿った一連の作業を行いにくいとともに、採寸ミスも生じやすい。
【００１０】
本発明は、このような背景技術に存在する課題を解決したサイディングプレカット用採寸データ取得方法及びサイディングプレカット方法の提供を目的とするものである。
【課題を解決するための手段】
【００１１】
本発明に係るサイディングプレカット用採寸データ取得方法は、上述した課題を解決するため、サイディングＳｐをプレカットする際に用いる建築中の住宅構造Ｍにおける採寸データＤｄを取得するに際し、サイディング施工前における、建設中の住宅構造Ｍの垂直精度に係わるデータ及び／又は水平精度に係わるデータを採寸データＤｄの一部として取得するとともに、壁面部分Ｆｓの所定位置Ｘｈｏに表示した初期水平ラインＬｈｏを基準にして取付けた土台水切部３を含むサイディング施工直前の壁面部分Ｆｓの位置であって、土台水切部３を基準にしたサイディングＳｐの縦幅の倍数となる一又は二以上の所定位置Ｘｈ１…に、基準水平ラインＬｈ１…を表示し、かつこの基準水平ラインＬｈ１…を基準にした一又は二以上の所定位置Ｘｖ１…に基準垂直ラインＬｖ１…を表示した後、基準水平ラインＬｈ１…及び基準垂直ラインＬｖ１…を基準にして建築中の住宅構造Ｍに対する採寸を行うことにより採寸データＤｄを取得するようにしたことを特徴とする。
【００１２】
この場合、発明の好適な態様により、垂直精度に係わるデータには、建設中の住宅構造Ｍにおける隅柱２ａ，２ｂ…の垂直精度を用いることができる。なお、初期水平ラインＬｈｏは、土台部４の近傍に表示することが望ましい。また、サイディング施工直前の壁面部分Ｆｓには、土台水切部３を基準にして取付けたシート部１１…及び胴縁部１２…を設けることができる。一方、基準水平ラインＬｈ１…は、一段目に施工するサイディングＳｐに対応する位置Ｘｈ１，胴差部１５の近傍に施工するサイディングＳｐに対応する位置Ｘｈ２，二階部分に有する開口部１６の上方であって、この開口部１６の近傍に施工するサイディングＳｐに対応する位置Ｘｈ３，の一又は二以上に表示することができるとともに、基準垂直ラインＬｖ１…は、一側の隅柱２ａに対応する位置Ｘｖ１，左右方向中央付近における管柱１７に対応する位置Ｘｖ２，他側の隅柱２ｂに対応する位置Ｘｖ３，の一又は二以上に表示することができる。
【００１３】
他方、本発明に係るサイディングプレカット方法は、上述した課題を解決するため、サイディングＳｐをプレカットする際に用いる建築中の住宅構造Ｍにおける採寸データＤｄと設計図面データＤｓとに基づいてサイディングＳｐをプレカットするに際し、サイディング施工前における、建設中の住宅構造Ｍの垂直精度に係わるデータ及び／又は水平精度に係わるデータを採寸データＤｄの一部として取得するとともに、壁面部分Ｆｓの所定位置Ｘｈｏに表示した初期水平ラインＬｈｏを基準にして取付けた土台水切部３を含むサイディング施工直前の壁面部分Ｆｓの位置であって、土台水切部３を基準にしたサイディングＳｐの縦幅の倍数となる一又は二以上の所定位置Ｘｈ１…に、基準水平ラインＬｈ１…を表示し、かつこの基準水平ラインＬｈ１…を基準にした一又は二以上の所定位置Ｘｖ１…に基準垂直ラインＬｖ１…を表示した後、基準水平ラインＬｈ１…及び基準垂直ラインＬｖ１…を基準にして建築中の住宅構造Ｍに対する採寸を行うことにより採寸データＤｄを取得し、この後、取得した採寸データＤｄと設計図面データＤｓによりプレカット用データＤｐを作成し、このプレカット用データＤｐに基づいてサイディングＳｐをプレカットするようにしたことを特徴とする。
【００１４】
この場合、発明の好適な態様により、設計図面データＤｓには、予め設定したデータベース２１から読出したデータ又はイメージスキャナー２２により読込んだデータを用いることができる。また、設計図面データＤｓに基づく、少なくとも立面図を、コンピュータ機能部２３を用いたデータ処理部２３ｐに接続したディスプレイ２４に表示するとともに、データ処理部２３ｐにより、取得した採寸データＤｄに基づき設計図面データＤｓを修正処理することができる。
【発明の効果】
【００１５】
このような手法による本発明に係るサイディングプレカット用採寸データ取得方法及びサイディングプレカット方法によれば、次のような顕著な効果を奏する。
【００１６】
（１）  建設中の住宅構造Ｍの垂直精度に係わるデータ及び／又は水平精度に係わるデータを採寸データＤｄの一部として取得するとともに、壁面部分Ｆｓに住宅構造Ｍの精度に関連する基準水平ラインＬｈ１…及び基準垂直ラインＬｖ１…を表示し、この基準水平ラインＬｈ１…及び基準垂直ラインＬｖ１…を基準点（基準ライン）とした採寸データＤｄを取得するようにしたため、住宅構造Ｍの本体に対する誤差を確実に回避できる。したがって、正確にプレカットしたフィット性の高いサイディングＳｐを得ることができ、現場での追加加工や補修を不要にできるなど、プレカット式工法に係わる本来の利点を十分に享受できる。
【００１７】
（２）  プレカットする際の基準点（基準ライン）を明確かつ容易に設定できるため、様々な形状（形態）及び構造を有する各種住宅構造Ｍ…に対しても、一定のマニュアルに沿ったスムーズで、迅速かつ能率的な採寸作業を行うことができる。しかも、採寸手順を解り易くできるため、マニュアル化も容易となり、特に、作業者が初心者の場合であっても、流れ（マニュアル）に沿った一連の作業を容易に行うことができ、採寸ミスの発生も防止することができる。
【００１８】
（３）  好適な態様により、垂直精度に係わるデータに、建設中の住宅構造Ｍにおける隅柱２ａ，２ｂ…の垂直精度を用いれば、壁面部分Ｆｓの出入を担う基本的な構成部位を基準にできるため、最も望ましい態様として実施できる。
【００１９】
（４）  好適な態様により、初期水平ラインＬｈｏを、土台部４の近傍に表示するようにすれば、初期水平ラインＬｈｏを見やすい位置に容易に表示できるため、土台部４に取付ける土台水切部３と初期水平ラインＬｈｏを確実に関連付けることができ、土台水切部３を正確かつ容易に取付けることができる。
【００２０】
（５）  好適な態様により、サイディング施工直前の壁面部分Ｆｓを、土台水切部３を基準にして取付けたシート部１１…及び胴縁部１２…を備える状態にすれば、サイディング施工直前の壁面部分Ｆｓとなる胴縁部１２…等に、基準水平ラインＬｈ１…を表示できるため、表示した基準水平ラインＬｈ１…を基準にして、サイディングＳｐを正確かつ容易に割り付けることができる。
【００２１】
（６）  好適な態様により、基準水平ラインＬｈ１…を、一段目に施工するサイディングＳｐに対応する位置Ｘｈ１，胴差部１５の近傍に施工するサイディングＳｐに対応する位置Ｘｈ２，二階部分に有する開口部１６の上方であって、この開口部１６の近傍に施工するサイディングＳｐに対応する位置Ｘｈ３，の一又は二以上に表示するようにすれば、壁面部分Ｆｓ全面における最も望ましい位置、即ち、下部位置，中間部位置，上部位置に、パフォーマンスの高い必要十分な基準水平ラインＬｈ１…を表示することができる。
【００２２】
（７）  好適な態様により、基準垂直ラインＬｖ１…を、一側の隅柱２ａに対応する位置Ｘｖ１，左右方向中央付近における管柱１７に対応する位置Ｘｖ２，他側の隅柱２ｂに対応する位置Ｘｖ３，の一又は二以上に表示するようにすれば、基準垂直ラインＬｖ１…を、壁面部分Ｆｓ全面における望ましい位置、即ち、左部位置，中間部位置，右部位置に、パフォーマンスの高い必要十分な基準垂直ラインＬｖ１…を表示することができる。
【００２３】
（８）  好適な態様により、設計図面データＤｓには、予め設定したデータベース２１から読出したデータ又はイメージスキャナー２２により読込んだデータを用いることができるなど、各種設計図面データＤｓ…に対応可能となるため、汎用性及び融通性の高いサイディングプレカット方法を構築することができる。
【００２４】
（９）  好適な態様により、設計図面データＤｓに基づく、少なくとも立面図を、コンピュータ機能部２３を用いたデータ処理部２３ｐに接続したディスプレイ２４に表示するとともに、データ処理部２３ｐにより、取得した採寸データＤｄに基づき設計図面データＤｓを修正処理するようにすれば、ＣＡＤシステムや汎用コンピュータシステムを利用することにより、正確でフィット性の高いプレカット用データＤｐを迅速かつ容易に得ることができる。
【図面の簡単な説明】
【００２５】
【図１】本発明の好適実施形態に係るサイディングプレカット方法の処理手順を説明するためのフローチャート（工程図）、
【図２】同サイディングプレカット方法で用いるサイディングプレカット用採寸データ取得方法の処理手順を説明するためのフローチャート（工程図）、
【図３】同サイディングプレカット方法を実施できるシステム構成を示すブロック系統図、
【図４】同サイディングプレカット用採寸データ取得方法を説明するための建築中の住宅構造を示す壁面図、
【図５】同サイディングプレカット用採寸データ取得方法を説明するための建築中の住宅構造を示す壁面図、
【図６】同サイディングプレカット用採寸データ取得方法を説明するための建築中の住宅構造を示す壁面図、
【図７】同サイディングプレカット用採寸データ取得方法を説明するための建築中の住宅構造を示す壁面図、
【図８】同サイディングプレカット用採寸データ取得方法を説明するための建築中の住宅構造を示す壁面図、
【図９】同サイディングプレカット用採寸データ取得方法を説明するための建築中の住宅構造を示す壁面図、
【図１０】同サイディングプレカット用採寸データ取得方法を説明するための建築中の住宅構造を示す壁面図、
【図１１】同サイディングプレカット用採寸データ取得方法を説明するための建築中の住宅構造を示す壁面図、
【発明を実施するための形態】
【００２６】
次に、本発明に係る好適実施形態を挙げ、図面に基づき詳細に説明する。
【００２７】
最初に、本実施形態に係るサイディングプレカット方法を実施できるシステム構成について、図３を参照して説明する。
【００２８】
図３において、３１はＣＡＤシステムであり、データ処理部２３ｐとして機能するコンピュータ機能部２３を備える。このコンピュータ機能部２３はＣＰＵや内部メモリ等のハードウェアを内蔵するコンピューティング機能を有している。したがって、コンピュータ機能部２３にはハードディスク等の内部メモリ手段３２が付属し、この内部メモリ手段３２には、少なくとも本実施形態に係るサイディングプレカット方法の一部を実現するための処理プログラムＰｐを格納したプログラムエリアを有するとともに、各種データベース２１を書込んだデータエリアを有する。また、ＣＡＤシステム３１には、コンピュータ機能部２３に付属（接続）したディスプレイ２４及びプリンタ３３を備えるとともに、コンピュータ機能部２３に付属（接続）した入力部３４を備える。この入力部３４にはキーボード，マウス，通信機能等の各種入力手段が含まれる。さらに、ＣＡＤシステム３１には、コンピュータ機能部２３に付属（接続）した外部メモリに対するリード／ライトを行うリーダ／ライタ３５を備える。このリーダ／ライタ３５には、ＵＳＢポートやメモリカード用装填口等が含まれる。なお、例示のＣＡＤシステム３１の構成は一例であり、公知の各種ＣＡＤシステムを適用できる。
【００２９】
一方、２２はイメージスキャナーであり、本実施形態に関連して紙等に表示された設計図面を読込み、設計図面データＤｓを得ることができる。この設計図面データＤｓはコンピュータ機能部２３に付与される。また、図３中、Ｄｄは後述する本実施形態に係るサイディングプレカット用採寸データ取得方法により取得した採寸データを示しており、この採寸データＤｄは入力部３４を介してコンピュータ機能部２３に入力させることができるとともに、ＵＳＢメモリ等の外部メモリに書込んだ電子データをリーダ／ライタ３５を介してコンピュータ機能部２３に入力させることもできる。このように、設計図面データＤｓには、予め設定したデータベース２１から読出したデータ又はイメージスキャナー２２により読込んだデータを用いることができるなど、各種設計図面データＤｓ…に対応可能となるため、汎用性及び融通性の高いサイディングプレカット方法を構築できる。さらに、Ｄｐは本実施形態に係るサイディングプレカット方法に基づいて作成されたプレカット用データを示しており、このプレカット用データＤｐはデータ処理部２３ｓ（コンピュータ機能部２３）から出力する。図３は、このプレカット用データＤｐが、サイディングＳｐをカッティング加工する工場に転送され、この工場に設置されたＮＣカッティングマシンのマシンコントローラ３６に付与される状態を示している。
【００３０】
次に、本実施形態に係るサイディングプレカット方法の処理手順について、図３〜図１１を参照しつつ図１（図２）に示すフローチャート（工程図）に従って説明する。
【００３１】
まず、図１に示すように、サイディングＳｐをプレカットするに際しては、ＣＡＤシステム３１のコンピュータ機能部２３（データ処理部２３ｓ）に、建築する住宅の設計図面データＤｓを入力する（ステップＳ１）。設計図面データＤｓには、図１１に示すような立面図を用いることが望ましい。その他、図面としては、平面図，矩形図等の躯体や外壁の仕様が解る図面を利用することができる。この場合、立面図に係わる設計図面データＤｓが、予めデータベース２１に書き込まれていれば、コンピュータ機能部２３により対応する設計図面データＤｓをデータベース２１から読み出して用いることができるとともに、紙等の図面として存在する場合には、イメージスキャナー２２により読み込み、データ化した設計図面データＤｓを用いることができる。
【００３２】
そして、設計図面データＤｓに基づく立面図をディスプレイ２４に画像表示する（ステップＳ２）。また、データ処理部２３ｐ（コンピュータ機能部２３）は、対応する処理プログラムＰｐにより設計図面データＤｓから採寸用図面を自動で作成する（ステップＳ３）。採寸用図面は、後述する建築中の住宅構造Ｍに対して採寸を行うための参考用図面であり、設計図面データＤｓに基づく立面図から採寸に必要な部分を抽出した図面となる。したがって、採寸用図面は、設計図面データＤｓに係わる立面図をよりシンプル化し、見やすくした図面となる。なお、採寸用図面は、紙等の図面としてプリンタ３３からプリントアウトしてもよいし、タブレット型コンピュータ等に入力し、付属するディスプレイに表示させてもよい。
【００３３】
この後、オペレータは現場に行き、採寸用図面に基づいて、建築中の住宅構造Ｍに対する必要な採寸を行う（ステップＭａ）。この採寸作業では、本実施形態に係るサイディングプレカット用採寸データ取得方法を用いて採寸することができ、これにより必要な採寸データＤｄを取得することができる。
【００３４】
以下、本実施形態に係るサイディングプレカット用採寸データ取得方法を利用した具体的な採寸手順について、図２に示すフローチャート及び図４〜図１１を参照して説明する。なお、図４〜図１１は、建築中の住宅構造Ｍを示す壁面図（立面図）である。
【００３５】
最初に、住宅構造Ｍにおける全壁面における隅柱（出入隅柱）２ａ，２ｂ…の垂直精度を測定する（ステップＳ２１）。測定に際しては、図４に示すように、隅柱２ａ…の上端付近に、下げ振り器又はレーザー装置等の垂直器４１を設置し、土台部４における不陸寸法Ｌｅ１，胴差部１５における不陸寸法Ｌｅ２及び桁部５１における不陸寸法Ｌｅ３の三ケ所を測定する。図４は、一面の壁面部分Ｆｓのみを示しているが、垂直精度に係わる測定は、全ての壁面部分Ｆｓにおける各隅柱２ａ，２ｂ…に対して行う。このように、垂直精度に係わるデータに、建設中の住宅構造Ｍにおける隅柱２ａ，２ｂ…の垂直精度を用いれば、壁面部分Ｆｓの出入を担う基本的な構成部位を基準にできるため、最も望ましい態様として実施できる利点がある。これにより、垂直精度に係わるデータを得ることができ、この垂直精度に係わるデータは採寸データＤｄの一部となる。なお、このような隅柱２ａ，２ｂ…における垂直精度の測定は、住宅構造Ｍに係わる垂直精度を厳密かつ正確に把握する意味において必要となるが、本実施形態では、後述する基準垂直ラインＬｖ１，Ｌｖ２，Ｌｖ３を表示しているため、採寸データを取得する観点からは必ずしも必要ではなく、隅柱２ａ，２ｂ…における垂直精度の測定は省略も可能である。即ち、隅柱２ａ，２ｂ…における垂直精度の測定は必要により実施でき、後述する基準垂直ラインＬｖ１，Ｌｖ２，Ｌｖ３を垂直精度に係わるデータ（採寸データＤｄ）に代用することができる。
【００３６】
次いで、レーザー装置又は水盛り管等の水平器（図示を省略）を利用して、壁面部分Ｆｓの所定位置（所定高さ）Ｘｈｏに初期水平ラインＬｈｏを表示する（ステップＳ２２）。表示する位置（高さ）は土台部４の近傍が望ましい。このように、初期水平ラインＬｈｏを、土台部４の近傍に表示するようにすれば、初期水平ラインＬｈｏを見やすい位置に容易に表示できるため、土台部４に取付ける土台水切部３と初期水平ラインＬｈｏを確実に関連付けることができ、土台水切部３を正確かつ容易に取付けることができる利点がある。また、初期水平ラインＬｈｏを簡便に表示する方法としては、レーザー墨出器等を利用した墨書を用いることができる。そして、左右方向両側の隅柱２ａ，２ｂ及び左右方向中央の三ケ所における不陸寸法Ｈｏｐ…を測定する。即ち、初期水平ラインＬｈｏと基礎部５２間の寸法Ｈｏｐ，Ｈｏｑ，Ｈｏｍを測定する。これにより、水平精度に係わるデータを得ることができ、この水平精度に係わるデータは採寸データＤｄの一部となる。
【００３７】
この後、図５に示すように、初期水平ラインＬｈｏを基準にして土台水切部３を土台部４に取付ける（ステップＳ２３）。この場合、初期水平ラインＬｈｏを基準にして土台水切部３の天端位置Ｘ３に補助ラインを表示（墨書）して取付ければよい。したがって、初期水平ラインＬｈｏと天端位置Ｘ３間における寸法Ｈｓｐ，Ｈｓｍ，Ｈｓｑはそれぞれ同一となり、初期水平ラインＬｈｏに対して天端位置Ｘ３は平行となる。
【００３８】
次いで、土台水切部３を基準にして防湿防水シート等のシート部１１…の貼付けを行うとともに、同様に、土台水切部３を基準にして胴縁部１２…を取付ける（ステップＳ２４，Ｓ２５）。これにより、サイディング施工直前の壁面部分Ｆｓの状態にすることができる。このように、サイディング施工直前の壁面部分Ｆｓを、土台水切部３を基準にして取付けたシート部１１…及び胴縁部１２…を備える状態にすれば、サイディング施工直前の壁面部分Ｆｓとなる胴縁部１２…等に、基準水平ラインＬｈ１…を表示できるため、表示した基準水平ラインＬｈ１…を基準にして、サイディングＳｐを正確かつ容易に取付ける（割り付ける）ことができる。
【００３９】
そして、土台水切部３を基準にしたサイディングＳｐの縦幅の倍数となる一又は二以上の所定位置（所定高さ）Ｘｈ１，Ｘｈ２，Ｘｈ３に、基準水平ラインＬｈ１，Ｌｈ２，Ｌｈ３を表示（墨書）する（ステップＳ２６）。例示の場合、図６に示すように、一段目に施工するサイディングＳｐに対応する位置Ｘｈ１に基準水平ラインＬｈ１を、胴差部１５（図４参照）の近傍に施工するサイディングＳｐに対応する位置Ｘｈ２に基準水平ラインＬｈ２を、二階部分に有する開口部１６の上方であって、この開口部１６の近傍に施工するサイディングＳｐに対応する位置Ｘｈ３に基準水平ラインＬｈ３を、それぞれ表示（墨書）した。これらの三ケ所の位置Ｘｈ１…は、土台水切部３を基準にしたサイディングＳｐの縦幅（例示の場合、４５５〔ｍｍ〕）の倍数に対応した位置となる。図６に示す各位置Ｘｈ１，Ｘｈ２，Ｘｈ３間の寸法Ｈｓ…は、サイディングＳｐの縦幅の倍数となる。この場合、サイディングＳｐの縦幅の倍数に対応した位置は、予めサイディングＳｐの縦幅の寸法に合致する馬鹿棒を用意し、この馬鹿棒を用いて各位置Ｘｈ１…の位置出し等を行うことができる。
【００４０】
このように、基準水平ラインＬｈ１…を、一段目に施工するサイディングＳｐに対応する位置Ｘｈ１，胴差部１５の近傍に施工するサイディングＳｐに対応する位置Ｘｈ２，二階部分に有する開口部１６の上方であって、この開口部１６の近傍に施工するサイディングＳｐに対応する位置Ｘｈ３，の一又は二以上に表示するようにすれば、壁面部分Ｆｓ全面における最も望ましい位置、即ち、下部位置，中間部位置，上部位置に、パフォーマンスの高い必要十分な基準水平ラインＬｈ１…を表示できる利点がある。
【００４１】
さらに、図７に示すように、表示した基準水平ラインＬｈ１，Ｌｈ２，Ｌｈ３を基準にして、一又は二以上の所定位置Ｘｖ１，Ｘｖ２，Ｘｖ３に基準垂直ラインＬｖ１，Ｌｖ２，Ｌｖ３を表示（墨書）する（ステップＳ２７）。即ち、基準水平ラインＬｈ１，Ｌｈ２，Ｌｈ３に対して直角になる基準垂直ラインＬｖ１，Ｌｖ２，Ｌｖ３をそれぞれ表示する。例示の場合、一側の隅柱２ａに対応する位置Ｘｖ１に基準垂直ラインＬｖ１を、左右方向中央付近における管柱１７（図４参照）に対応する位置Ｘｖ２に基準垂直ラインＬｖ２を、他側の隅柱２ｂに対応する位置Ｘｖ３に基準垂直ラインＬｖ３を、それぞれ表示（墨書）した。この場合、基準垂直ラインＬｖ１，Ｌｖ２，Ｌｖ３は、基準水平ラインＬｈ１，Ｌｈ２，Ｌｈ３に対して直角になるように留意する。これにより、左右方向における各位置Ｘｖ１，Ｘｖ２，Ｘｖ３間の寸法Ｗｓ…であって、左右方向に同位置となる上下の各位置における寸法Ｗｓ…はそれぞれ一致し、各基準水平ラインＬｈ１，Ｌｈ２，Ｌｈ３はそれぞれ平行となる。
【００４２】
このように、基準垂直ラインＬｖ１…を、一側の隅柱２ａに対応する位置Ｘｖ１，左右方向中央付近における管柱１７に対応する位置Ｘｖ２，他側の隅柱２ｂに対応する位置Ｘｖ３，の一又は二以上に表示するようにすれば、基準垂直ラインＬｖ１…を、壁面部分Ｆｓ全面における望ましい位置、即ち、左部位置，中間部位置，右部位置に、パフォーマンスの高い必要十分な基準垂直ラインＬｖ１…を表示できる利点がある。
【００４３】
以上により、基準点（基準ライン）の設定が終了するため、以後、設定（表示）した基準水平ラインＬｈ１，Ｌｈ２，Ｌｈ３及び基準垂直ラインＬｖ１，Ｌｖ２，Ｌｖ３を基準にして各部の採寸を行う。なお、採寸した数値（データ）は、持参した採寸用図面に書き込んだり或いはタブレットコンピュータ等のディスプレイに入力する。
【００４４】
まず、採寸に際しては、最初に、図８に示すように、隅柱２ａ…の基準垂直ラインＬｖ１…から側面の仕上がり壁（胴縁部１２…）までの出寸法（Ｘｍｐ，Ｘｍｑ）を測定する（ステップＳ２８）。測定する位置は、一本の隅柱２ａ…（図４参照）に対して、土台部４，胴差部１５（図４参照），桁部５１の三ケ所が望ましい。なお、この際、最初に測定した垂直精度に係わるデータに基づく出寸法も合わせて確認する。図８中、点線丸Ａｒ…で囲んだ部位が出寸法の測定部位を示している。
【００４５】
次いで、軒天回りの測定を行う。例示の軒天５５は切妻屋根である。最初に、図９に示すように、軒天５５の通り（矢印Ｑｆ参照）を目視で確認する。そして、出入のある点をマーキングする（ステップＳ２９）。通常、一辺において一カ所のマーキングとなる。ただし、長いとき又は出入が激しい場合などにおいては状況に合わせて設定できる。図９中、点線丸Ａｍ…で示す部位がマーキング位置を示す。この後、妻頂点Ｘｖ４とマーキングした位置Ｘｖ５，Ｘｖ６に対して、レーザー装置又は下げ振り器等の垂直器４１（図４参照）を利用して二次基準垂直ラインＬｖ４，Ｌｖ５，Ｌｖ６を表示（墨書）する（ステップＳ３０）。そして、基準垂直ラインＬｖ３，Ｌｖ４，Ｌｖ５，Ｌｖ６の相互間Ｗｅ…の採寸を行う（ステップＳ３１）。
【００４６】
また、図１０に示すように、二階部分に有する二階の窓となる開口部１６の上方に位置する基準水平ラインＬｈ３から両側の隅柱２ａ，２ｂに表示した基準垂直ラインＬｖ１，Ｌｖ３の軒天５５までの寸法Ｈｕｐ，Ｈｕｑ（点線丸Ａｓ…で囲んだ部位）を測定するとともに、この軒天位置から直角三角形Ｋ１，Ｋ２，Ｋ３が形成される縦辺の寸法を測定することにより軒天５５の高さを決定する（ステップＳ３２）。
【００４７】
これにより、軒天回りの測定が終了するため、この後、図１１に示すように、窓等の開口部１６，１６ｄに対する採寸を行うとともに、電線や配管等の貫通部１７，１７ｅに対する採寸を行う（ステップＳ３３，Ｓ３４）。この場合、各開口部１６，１６ｄ及び各貫通部１７，１７ｅに対して一番近い位置に表示されている基準水平ラインＬｈ１…又は基準垂直ラインＬｖ１…を基準にして採寸を行う。なお、障害物等が存在する場合には、他の位置から採寸すればよい。また、貫通部１７…が円形の場合には、円の直径も測定する。この際、特殊形状の場合には形状を特定できるように測定する。さらに、他の建具、例えば、図１１に仮想線で示すバルコニー５７等が存在する場合も、上述した開口部１６…等の場合と同様、位置と形状が特定できるように採寸を行う（ステップＳ３５）。図１１中、符号Ｎｓ…は採寸を行う位置（部位）を示している。
【００４８】
以上により、一面の壁面部分Ｆｓに対する採寸が終了するため、他の未採寸の壁面部分Ｆｓが存在する場合には、残りの壁面部分Ｆｓに対しても同様の手順により採寸を行う（ステップＳ３６，Ｓ２２…）、そして、全ての面に対する採寸が終了したなら作業を終了する（ステップＳ３６）。採寸により得られた具体的な測定値が取得すべき採寸データＤｄとなる。
【００４９】
他方、取得した採寸データＤｄは、前述したコンピュータ機能部２３に入力する（ステップＳ４）。これにより、予め登録されている設計図面データＤｓを、入力した採寸データＤｄにより修正することができる（ステップＳ５，Ｓ６）。この際、ディスプレイ２４に設計図面データＤｓに基づく立面図を表示し、この立面図の上に、採寸データＤｄに基づく立面図を重ね描きして表示する。そして、設計図面データＤｓを採寸データＤｄに基づいて修正処理する。この場合、オペレータがノウハウ等を加味してマニュアルで修正してもよいし、処理プログラムＰｐ、即ち、予め設定した修正プログラムにより自動で修正してもよい。このように、設計図面データＤｓに基づく、少なくとも立面図をデータ処理部２３ｐに接続したディスプレイ２４に表示するとともに、データ処理部２３ｐにより、取得した採寸データＤｄに基づき設計図面データＤｓを修正処理するようにすれば、ＣＡＤシステム３１や汎用コンピュータシステムを利用することにより、正確でフィット性の高いプレカット用データＤｐを迅速かつ容易に得ることができる。
【００５０】
修正処理が終了したなら、サイディングＳｐ…の一枚々に対して寸法の割り付けを行い、具体的なプレカット用データＤｐを自動で作成する処理を行う（ステップＳ７）。また、サイディングＳｐ…の一枚々に対するプレカット用データに対して取付順番に対応した番号を付する（ステップＳ８）。そして、作成したプレカット用データＤｐは、カッティングを行う加工工場に転送（送信）する（ステップＳ９）。
【００５１】
他方、加工工場では、プレカット用データＤｐを受信し、ＮＣカッティングマシンに備えるマシンコントローラ３６に入力する（ステップＳ１０）。なお、加工工場に対するプレカット用データＤｐの転送は、様々な態様が考えられる。例えば、マシンコントローラ３６に通信機能を備える場合、コンピュータ機能部２３から出力したプレカット用データＤｐを自動でマシンコントローラ３６に送信し、かつ入力するようにしてもよいし、或いはＵＳＢメモリ等の外部メモリにプレカット用データＤｐを保存し、加工工場に人的手段で運び、マシンコントローラ３６に対してマニュアル操作により読み込ませるようにしてもよい。
【００５２】
この後、マシンコントローラ３６によりＮＣカッティングマシンを作動制御（コンピュータ制御）し、順次セットされるサイディングＳｐ…に対して加工処理（カッティング加工）を行う（ステップＳ１１）。また、カッティング加工したサイディングＳｐ…は、取付順番を考慮して順次積載する（ステップＳ１２）。図３に、加工後の各種形態のサイディングＳｐ…を示す。この際、サイディングＳｐ…の切端が発生するため、比較的大きい切端は、さらに加工を加えることにより同質出隅Ｓｐｒ…として利用するとともに、比較的小さい切端は、粉砕することにより粉末材Ｓｐｐにしてリサイクル（再利用）する。そして、得られたサイディングＳｐ…及び同質出隅Ｓｐｒ…は施工現場に運び、前述した住宅構造Ｍに対して取付けを行う（ステップＭｂ）。サイディングＳｐ…を取付ける際しては、前述した採寸作業で表示した基準ライン（基準墨）Ｌｈ１…，Ｌｖ１…を、サイディングＳｐ…取付時の合わせ墨として利用する。
【００５３】
このように、本実施形態に係るサイディングプレカット用採寸データ取得方法を含むサイディングプレカット方法によれば、建設中の住宅構造Ｍの垂直精度に係わるデータ及び／又は水平精度に係わるデータを採寸データＤｄの一部として取得するとともに、壁面部分Ｆｓに住宅構造Ｍの精度に関連する基準水平ラインＬｈ１…及び基準垂直ラインＬｖ１…を表示し、この基準水平ラインＬｈ１…及び基準垂直ラインＬｖ１…を基準点（基準ライン）とした採寸データＤｄを取得するようにしたため、住宅構造Ｍの本体に対する誤差を確実に回避できる。したがって、正確にプレカットしたフィット性の高いサイディングＳｐを得ることができ、現場での追加加工や補修を不要にできるなど、プレカット式工法に係わる本来の利点を十分に享受できる。また、プレカットする際の基準点（基準ライン）を明確かつ容易に設定できるため、様々な形状（形態）及び構造を有する各種住宅構造Ｍ…に対しても、一定のマニュアルに沿ったスムーズで、迅速かつ能率的な採寸作業を行うことができる。しかも、採寸手順を解り易くできるため、マニュアル化も容易となり、特に、作業者が初心者の場合であっても、流れ（マニュアル）に沿った一連の作業を容易に行うことができ、採寸ミスの発生も防止することができる。
【００５４】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５５】
例えば、建設中の住宅構造Ｍの垂直精度に係わるデータ及び水平精度に係わるデータの双方を取得する場合を示したが、いずれか一方を排除するものではない。また、基準水平ラインＬｈ１…を三ケ所に表示し、基準垂直ラインＬｖ１…を五ケ所に表示した場合を示したが、表示する数及び位置（高さ）は任意である。さらに、基準水平ラインＬｈ１…及び基準垂直ラインＬｖ１…は墨書により表示した場合を示したが、糸を張ったりテープを貼るなど、他の表示方法を排除するものではない。一方、垂直精度に係わるデータとして隅柱２ａ，２ｂ…の垂直精度を用いたが、他の部位を適用してもよい。他方、サイディングＳｐのカッティング加工をＮＣカッティングマシンを用いる例を示したが、他のカッティング手段、例えば、半自動カッティングマシンや手動利器によりマニュアル切断する場合等を排除するものではない。また、ＣＡＤシステム３１を用いた場合を示したが、アプリケーションソフトをインストールした汎用のパーソナルコンピュータ等、各種コンピューティング装置を用いることができる。なお、本発明はいわゆる横貼り方式を例にして説明したが、いわゆる縦貼り方式にも同様に適用することができる。
【産業上の利用可能性】
【００５６】
本発明に係るサイディングプレカット用採寸データ取得方法及びサイディングプレカット方法は、セメント系サイディングをはじめ、セラミック系サイディング，金属系サイディング，木質系サイディング等の各種サイディングをプレカットする際に利用することができる。
【符号の説明】
【００５７】
２ａ：隅柱，２ｂ：隅柱，３：土台水切部，４：土台部，１１…：シート部，１２…：胴縁部，１５：胴差部，１６：開口部，１７：管柱，２１：データベース，２２：イメージスキャナー，２３：コンピュータ機能部，２３ｐ：データ処理部，２４：ディスプレイ，Ｓｐ：サイディング，Ｍ：住宅構造，Ｄｄ：採寸データ，Ｄｓ：設計図面データ，Ｆｓ：壁面部分，Ｘｈｏ：所定位置，Ｘｈ１…：所定位置，Ｘｖ１…：所定位置，Ｌｈｏ：初期水平ライン，Ｌｈ１…：基準水平ライン，Ｌｖ１…：基準垂直ライン
【図１】
2014152521.tif 000003
【図２】
2014152521.tif 000004
【図３】
2014152521.tif 000005
【図４】
2014152521.tif 000006
【図５】
2014152521.tif 000007
【図６】
2014152521.tif 000008
【図７】
2014152521.tif 000009
【図８】
2014152521.tif 000010
【図９】
2014152521.tif 000011
【図１０】
2014152521.tif 000012
【図１１】
2014152521.tif 000013